(57)【特許請求の範囲】
【請求項１】
複数列の赤、緑、青の各色に対応するソース配線と複数行のゲート配線との交差部に対応して配置された複数の画素電極と、前記ソース配線および前記ゲート配線にそれぞれ検査用スイッチング素子を介して接続されるソース配線用検査配線およびゲート配線用検査配線とを備えた液晶表示基板において、前記検査用スイッチング素子は、前記ソース配線と前記ソース配線用検査配線との間、および前記ゲート配線と前記ゲート配線用検査配線との間に配置された検査配線に接続されており、検査時に所定のソース配線用検査信号および所定のゲート配線用検査信号の供給を行い前記検査用スイッチング素子をオンにして前記ソース配線用検査配線および前記ゲート配線用検査配線から前記ソース配線および前記ゲート配線にそれぞれ所定の電位の印加を行う液晶表示基板検査方法であって、
前記ゲート配線用検査配線は、前記複数行のゲート配線の内、（１）奇数行のゲート配線に接続される第１ゲート配線用検査配線、および（２）偶数行のゲート配線に接続される第２ゲート配線用検査配線であり、
前記供給される所定のゲート配線用検査信号は、（１）前記奇数行のゲート配線に対し前記第１ゲート配線用検査配線から供給される第１ゲート配線用検査信号、および（２）前記偶数行のゲート配線に対し前記第２ゲート配線用検査配線から供給される第２ゲート配線用検査信号であり、
前記複数の画素電極は、前記第１ゲート配線用検査信号または前記第２ゲート配線用検査信号によってオン／オフ状態を切り替えられるスイッチング素子をそれぞれ介して、前記複数列のソース配線の内の所定のソース配線に接続され、
前記第１ゲート配線用検査信号によってオン／オフ状態を切り替えられる前記スイッチング素子をオン／オフ状態に制御するとともに前記第２ゲート配線用検査信号によってオン／オフ状態を切り替えられる前記スイッチング素子を反転動作状態に制御し、これらスイッチング素子が交互にオン状態に切り替えられるとともに、供給される前記ソース配線用検査信号によって赤、緑、青、黒、白の内の何れかの単色画面表示を可能とし、
また、前記ソース配線用検査信号によって黒色画面表示と白色画面表示とが交互に行われるように、前記第１ゲート配線用検査信号および前記第２ゲート配線用検査信号の何れか一方によってオン／オフ状態を切り替えられる一方のスイッチング素子がオン状態に切り替えられているときには、他方によって他のスイッチング素子がオフ状態に切り替えられ、前記一方のスイッチング素子がオフ状態に切り替えられているときには他方のスイッチング素子がオン状態に切り替えられることにより、黒と白のフリッカー画面表示を可能とし、
前記ゲート配線用検査信号によってオン／オフ状態を切り替えられる前記スイッチング素子をオン状態とする期間は、（１）前記スイッチング素子をオン状態とするための電位Ｖｏｎを印加することにより、前記ゲート配線の電位が、前記スイッチング素子をオフ状態とするための電位Ｖｏｆｆから電位０．９×（Ｖｏｎ―Ｖｏｆｆ）＋Ｖｏｆｆとなるまでの第１の立ち上がり期間と、（２）前記所定のソース配線用検査信号の供給により、前記画素電極にデータを書き込むのに必要な期間と、（３）前記電位Ｖｏｆｆを印加することにより、前記ゲート配線の電位が、前記電位Ｖｏｎから電位０．９×（Ｖｏｆｆ―Ｖｏｎ）＋Ｖｏｎとなるまでの第１の立ち下がり期間との和である期間Ｓ１以上であり、（１）前記電位Ｖｏｎを印加することにより、前記ゲート配線の電位が、前記電位Ｖｏｆｆから前記電位Ｖｏｎとなるまでの第２の立ち上がり期間と、（２）前記所定のソース配線用検査信号の供給により、前記画素電極にデータを書き込むのに必要な期間と、（３）前記電位Ｖｏｆｆを印加することにより、前記ゲート配線の電位が、前記電位Ｖｏｎから前記電位Ｖｏｆｆとなるまでの第２の立ち下がり期間との和である期間Ｓ２未満である、液晶表示基板検査方法。
【請求項２】
前記第１ゲート配線用検査信号または前記第２ゲート配線用検査信号の内の、（１）何れか一方によってオン／オフ状態を切り替えられるスイッチング素子が、オン状態に切り替えられ、前記オン状態を継続させられた上でオフ状態に切り替えられ、（２）他方によってオン／オフ状態を切り替えられるスイッチング素子が、その後にオン状態に切り替えられるまでの期間は、前記オン状態を継続させられる期間の２倍以上の期間である請求項１記載の液晶表示基板検査方法。
【請求項３】
前記複数の画素電極の配置は、赤、緑、青の各色に対応した画素電極の、デルタ配列またはストライプ配列の何れかによって行われており、
（１）前記第１ゲート配線用検査信号によってオン／オフ状態を切り替えられるスイッチング素子を、オン状態に切り替え、前記オン状態を所定の期間において継続させた上でオフ状態に切り替え、前記第２ゲート配線用検査信号によってオン／オフ状態を切り替えられるスイッチング素子を、前記所定の期間においてオフ状態とする動作１と、（２）前記第２ゲート配線用検査信号によってオン／オフ状態を切り替えられるスイッチング素子を、オン状態に切り替え、前記オン状態を前記所定の期間において継続させた上でオフ状態に切り替え、前記第１ゲート配線用検査信号によってオン／オフ状態を切り替えられるスイッチング素子を、前記所定の期間においてオフ状態とする動作２と、（３）前記第１ゲート配線用検査信号によってオン／オフ状態を切り替えられるスイッチング素子および前記第２ゲート配線用検査信号によってオン／オフ状態を切り替えられるスイッチング素子をともにオフ状態とする動作３を、動作１、動作２、動作３、動作２、動作１、動作３の順序で繰り返し、
前記ソース配線用検査信号を、前記順序での繰り返しに基づいて、赤、緑、青、黒、白の内の何れかの単色画面表示が行われるように供給する請求項１記載の液晶表示基板検査方法。
【請求項４】
前記第１ゲート配線用検査信号および前記第２ゲート配線用検査信号は、実質上２４Ｈｚ以上の周波数を有する請求項１記載の液晶表示基板検査方法。
【請求項５】
前記第１ゲート配線用検査信号または前記第２ゲート配線用検査信号によってオン／オフ状態を切り替えられるスイッチング素子が、オン状態に切り替えられ、前記オン状態を継続させられた上でオフ状態に切り替えられ、その後オン状態に切り替えられるまでの期間は、長短２種類あり、
前記長短２種類の期間の内の長い方の期間は、実質上４１．６ｍｓ以下である請求項１記載の液晶表示基板検査方法。
【請求項６】
前記第１ゲート配線用検査信号または前記第２ゲート配線用検査信号によってオン／オフ状態を切り替えられるスイッチング素子が、オン状態に切り替えられ、前記オン状態を継続させられた上でオフ状態に切り替えられ、その後オン状態に切り替えられるまでの期間は、長短２種類あり、
前記長短２種類の期間の内の長い方の期間は、前記液晶素子が前記オン状態の継続に基づく表示を継続する期間と実質上等しい請求項１記載の液晶表示基板検査方法。
【発明の詳細な説明】
【０００１】
【発明の属する技術分野】
本発明は、液晶表示基板検査方法に関する。
【０００２】
【従来の技術】
近年、文字や情報を表示する表示装置として、大きさや低消費電力の点から液晶表示装置が注目されている。その中でも、応答が早く、動画を鮮明に表示させるために、各画素にＴＦＴ（薄膜トランジスタ）に代表されるスイッチング素子を接続したアクティブマトリクス方式の液晶表示装置が、注目されている。
【０００３】
アクティブマトリクス方式の液晶表示装置には、赤、緑、青色を表示する画素電極を、図１７に示すようにデルタ配列に配置したものと、図１９に示すようにストライプ配列に配置したものとがある。なお、図１７は画素電極をデルタ配列とした従来の液晶表示装置の平面図、図１９は画素電極をストライプ配列とした従来の液晶表示装置の平面図である。
【０００４】
図１７において、赤を表示させる画素電極１ｒと緑を表示させる画素電極１ｇと青を表示させる画素電極１ｂとはデルタ配列に配置され、これら画素電極１（３色の画素電極１ｒ、１ｇ、１ｂがあるが、これらの表示色の違いを無視して代表的に記す場合には、符号１を用いることがある）の間を縫ってゲート配線２とソース配線３が配置されている。ゲート配線２とソース配線３との交点には、前述のＴＦＴに代表されるスイッチング素子４（図面上最も左に配置されたものにのみ符号を付した）が配置され、ゲート配線２に印加される電位により、（１）ソース配線３と、（２）赤画素電極１ｒ、緑画素電極１ｇ、青画素電極１ｂの何れかとが、電気的に接続または遮断される。
【０００５】
なお、同色の画素電極１はゲート配線２の１配線毎に同列に配置され、ゲート配線２を介して隣接される同色の画素電極１は１．５画素ずつずれて配置されている。また、このデルタ配列では、１つのソース配線３にはスイッチング素子４を介して１行毎に異なる２色の画素電極１（たとえば赤画素電極１ｒと緑画素電極１ｇ）が接続されている。もちろん、緑画素電極１ｇと青画素電極１ｂ、青画素電極１ｂと赤画素電極１ｒについても同様である。
【０００６】
６はゲート配線２に駆動電位を印加するゲート駆動回路、７はソース配線３に駆動電位を印加するソース駆動回路、８は対向電極９に駆動電位を印加する対向電極駆動回路であり、ゲート駆動回路６、ソース駆動回路７、および対向電極駆動回路８は、画面の外側に配置されている。
【０００７】
図１８（ａ）、（ｂ）に示されているように、画素電極１は液晶１０を挟んで対向電極９と対向し、画素電極１と対向電極９との電位差により透過光の割合を変化させて文字や情報を表示する。なお、図１８（ａ）はＡ−Ａ’線（図１７参照）に沿う断面図、図１８（ｂ）はＢ−Ｂ’線（図１７参照）に沿う断面図である。
【０００８】
つぎに、図１９を参照しながら、画素電極をストライプ配列に配置した従来の液晶表示装置に対し、検査配線を利用してその完成前に中間検査として行われる不良検出検査について説明する。
【０００９】
従来、このような不良検出検査は、液晶表示装置を歩留まり良く生産するために、ゲート駆動回路６とソース駆動回路７と対向電極駆動回路８とを、それぞれすべてのゲート配線２とソース配線３と対向電極９とに接続して電位を印加し、白、黒、赤、緑および青の画面を表示させることによって行われていた。
【００１０】
この不良検出検査では、検査回路とゲート配線２およびソース配線３との接続にはプローブが主に使用されるが、液晶表示装置が小型、高精細になるとプローブの作成が困難もしくは作製不可能となる。
【００１１】
そこで、画素電極１がストライプ配列に配置された液晶表示装置では、これらの不都合を解消するために、図１９に示すように、全てのゲート配線２に接続されたゲート側検査配線Ｇと、赤に対応するソース配線３のすべてに接続したソース側検査配線Ｓ１と、緑に対応するソース配線３のすべてに接続したソース側検査配線Ｓ２と、青に対応するソース配線３のすべてに接続したソース側検査配線Ｓ３と、対向電極９に接続した対向電極側検査配線Ｃとによる合計５本の検査配線を設け、前記各検査配線と前記検査回路とを接続して検査した後、前記ゲート側検査配線Ｇ、およびソース側検査配線Ｓ１、Ｓ２、Ｓ３との接続を切断部Ｔで切断するようにした簡易検査構成が採用されている。
【００１２】
【発明が解決しようとする課題】
しかしながら、上述のような液晶表示装置では、スイッチング素子４を常に導通状態で検査する必要がある。そのため、スイッチング素子４の開閉に起因する不良、およびスイッチング素子４の特性的不良に起因する不良を検出できないことがある。なお、画素電極１がデルタ配列に配置された液晶表示装置においては、１つのソース配線３に２色の画素電極１が接続されているため、赤、緑、青の各色を単色で表示できない。
【００１３】
そして、何れの場合にせよ、検査完了後に各検査配線との接続を電気的にオープンにするため、切断という余計な作業が必要になるという課題があった。
【００１４】
本発明は、上記従来のこのような課題を考慮し、たとえば、液晶表示装置の検査完了後における、各検査配線との接続を電気的にオープンにするための切断が不要な液晶表示基板検査方法を提供することを目的とする。
【００２５】
【課題を解決しようとする手段】
第１の本発明は、複数列の赤、緑、青の各色に対応するソース配線と複数行のゲート配線との交差部に対応して配置された複数の画素電極と、前記ソース配線および前記ゲート配線にそれぞれ検査用スイッチング素子を介して接続されるソース配線用検査配線およびゲート配線用検査配線とを備えた液晶表示基板において、前記検査用スイッチング素子は、前記ソース配線と前記ソース配線用検査配線との間、および前記ゲート配線と前記ゲート配線用検査配線との間に配置された検査配線に接続されており、検査時に所定のソース配線用検査信号および所定のゲート配線用検査信号の供給を行い前記検査用スイッチング素子をオンにして前記ソース配線用検査配線および前記ゲート配線用検査配線から前記ソース配線および前記ゲート配線にそれぞれ所定の電位の印加を行う液晶表示基板検査方法であって、
前記ゲート配線用検査配線は、前記複数行のゲート配線の内、（１）奇数行のゲート配線に接続される第１ゲート配線用検査配線、および（２）偶数行のゲート配線に接続される第２ゲート配線用検査配線であり、
前記供給される所定のゲート配線用検査信号は、（１）前記奇数行のゲート配線に対し前記第１ゲート配線用検査配線から供給される第１ゲート配線用検査信号、および（２）前記偶数行のゲート配線に対し前記第２ゲート配線用検査配線から供給される第２ゲート配線用検査信号であり、
前記複数の画素電極は、前記第１ゲート配線用検査信号または前記第２ゲート配線用検査信号によってオン／オフ状態を切り替えられるスイッチング素子をそれぞれ介して、前記複数列のソース配線の内の所定のソース配線に接続され、
前記第１ゲート配線用検査信号によってオン／オフ状態を切り替えられる前記スイッチング素子をオン／オフ状態に制御するとともに前記第２ゲート配線用検査信号によってオン／オフ状態を切り替えられる前記スイッチング素子を反転動作状態に制御し、これらスイッチング素子が交互にオン状態に切り替えられるとともに、供給される前記ソース配線用検査信号によって赤、緑、青、黒、白の内の何れかの単色画面表示を可能とし、
また、前記ソース配線用検査信号によって黒色画面表示と白色画面表示とが交互に行われるように、前記第１ゲート配線用検査信号および前記第２ゲート配線用検査信号の何れか一方によってオン／オフ状態を切り替えられる一方のスイッチング素子がオン状態に切り替えられているときには、他方によって他のスイッチング素子がオフ状態に切り替えられ、前記一方のスイッチング素子がオフ状態に切り替えられているときには他方のスイッチング素子がオン状態に切り替えられることにより、黒と白のフリッカー画面表示を可能とし、
前記ゲート配線用検査信号によってオン／オフ状態を切り替えられる前記スイッチング素子をオン状態とする期間は、（１）前記スイッチング素子をオン状態とするための電位Ｖｏｎを印加することにより、前記ゲート配線の電位が、前記スイッチング素子をオフ状態とするための電位Ｖｏｆｆから電位０．９×（Ｖｏｎ―Ｖｏｆｆ）＋Ｖｏｆｆとなるまでの第１の立ち上がり期間と、（２）前記所定のソース配線用検査信号の供給により、前記画素電極にデータを書き込むのに必要な期間と、（３）前記電位Ｖｏｆｆを印加することにより、前記ゲート配線の電位が、前記電位Ｖｏｎから電位０．９×（Ｖｏｆｆ―Ｖｏｎ）＋Ｖｏｎとなるまでの第１の立ち下がり期間との和である期間Ｓ１以上であり、（１）前記電位Ｖｏｎを印加することにより、前記ゲート配線の電位が、前記電位Ｖｏｆｆから前記電位Ｖｏｎとなるまでの第２の立ち上がり期間と、（２）前記所定のソース配線用検査信号の供給により、前記画素電極にデータを書き込むのに必要な期間と、（３）前記電位Ｖｏｆｆを印加することにより、前記ゲート配線の電位が、前記電位Ｖｏｎから前記電位Ｖｏｆｆとなるまでの第２の立ち下がり期間との和である期間Ｓ２未満である、液晶表示基板検査方法である。
【００２６】
第２の本発明は、前記第１ゲート配線用検査信号または前記第２ゲート配線用検査信号の内の、（１）何れか一方によってオン／オフ状態を切り替えられるスイッチング素子が、オン状態に切り替えられ、前記オン状態を継続させられた上でオフ状態に切り替えられ、（２）他方によってオン／オフ状態を切り替えられるスイッチング素子が、その後にオン状態に切り替えられるまでの期間は、前記オン状態を継続させられる期間の２倍以上の期間である第１の本発明の液晶表示基板検査方法である。
【００２８】
第３の本発明は、前記複数の画素電極の配置は、赤、緑、青の各色に対応した画素電極の、デルタ配列またはストライプ配列の何れかによって行われており、
（１）前記第１ゲート配線用検査信号によってオン／オフ状態を切り替えられるスイッチング素子を、オン状態に切り替え、前記オン状態を所定の期間において継続させた上でオフ状態に切り替え、前記第２ゲート配線用検査信号によってオン／オフ状態を切り替えられるスイッチング素子を、前記所定の期間においてオフ状態とする動作１と、（２）前記第２ゲート配線用検査信号によってオン／オフ状態を切り替えられるスイッチング素子を、オン状態に切り替え、前記オン状態を前記所定の期間において継続させた上でオフ状態に切り替え、前記第１ゲート配線用検査信号によってオン／オフ状態を切り替えられるスイッチング素子を、前記所定の期間においてオフ状態とする動作２と、（３）前記第１ゲート配線用検査信号によってオン／オフ状態を切り替えられるスイッチング素子および前記第２ゲート配線用検査信号によってオン／オフ状態を切り替えられるスイッチング素子をともにオフ状態とする動作３を、動作１、動作２、動作３、動作２、動作１、動作３の順序で繰り返し、
前記ソース配線用検査信号を、前記順序での繰り返しに基づいて、赤、緑、青、黒、白の内の何れかの単色画面表示が行われるように供給する第１の本発明の液晶表示基板検査方法である。
【００３０】
第４の本発明は、前記第１ゲート配線用検査信号および前記第２ゲート配線用検査信号は、実質上２４Ｈｚ以上の周波数を有する第１の本発明の液晶表示基板検査方法である。
【００３１】
第５の本発明は、前記第１ゲート配線用検査信号または前記第２ゲート配線用検査信号によってオン／オフ状態を切り替えられるスイッチング素子が、オン状態に切り替えられ、前記オン状態を継続させられた上でオフ状態に切り替えられ、その後オン状態に切り替えられるまでの期間は、長短２種類あり、
前記長短２種類の期間の内の長い方の期間は、実質上４１．６ｍｓ以下である第１の本発明の液晶表示基板検査方法である。
【００３２】
第６の本発明は、前記第１ゲート配線用検査信号または前記第２ゲート配線用検査信号によってオン／オフ状態を切り替えられるスイッチング素子が、オン状態に切り替えられ、前記オン状態を継続させられた上でオフ状態に切り替えられ、その後オン状態に切り替えられるまでの期間は、長短２種類あり、
前記長短２種類の期間の内の長い方の期間は、前記液晶素子が前記オン状態の継続に基づく表示を継続する期間と実質上等しい第１の本発明の液晶表示基板検査方法である。
【００３６】
【発明の実施の形態】
以下では、本発明にかかる実施の形態について、図面を参照しつつ説明を行う。
【００３７】
はじめに、本実施の形態における、画素電極１がストライプ配列に配置された液晶表示装置の平面図である図１を参照しながら、本実施の形態の液晶表示装置の構成について説明する。なお、図１７〜１９に示した従来の場合と同じ構成要素には、同一番号を付与した。
【００３８】
本実施の形態における液晶表示装置の主たる特徴は、つぎの通りである。
【００３９】
（１）ゲート配線２（なお、図面上最上にある、画素電極に接続されていないゲート配線は、いわゆるダミー配線である）に係わる検査配線を、第１ゲート側検査配線Ｇ１、第２ゲート側検査配線Ｇ２の２本とし、（２）対向電極側検査配線Ｃと対向電極９とを接続し、（３）ソース側検査配線Ｓ１、Ｓ２、Ｓ３とソース配線３とを、検査用スイッチング素子５を介して接続し、（４ａ）前記第１ゲート側検査配線Ｇ１と前記奇数行のゲート配線２、（４ｂ）前記第２ゲート側検査配線Ｇ２と前記偶数行のゲート配線２を、検査用スイッチング素子５を介して接続し、（５）前記検査用スイッチング素子５に電位を与える検査配線Ｇ０を備える。なお、ゲート駆動回路６やソース駆動回路７は、後述のような生産工程における中間的な検査を行う際には、まだ実装されていない。
【００４０】
ここで、従来の液晶表示装置（図１９参照）には見られない特徴である上述の（３）、（４ａ）、（４ｂ）に関して、より具体的に説明する。
【００４１】
ソース側検査配線Ｓ１、ソース側検査配線Ｓ２、ソース側検査配線Ｓ３、第１ゲート側検査配線Ｇ１、第２ゲート側検査配線Ｇ２、および対向電極側検査配線Ｃの計６本の検査配線が、液晶表示装置の表示範囲の外部に引き出され、画素電極１が形成されたガラス基板の上に形成されている。
【００４２】
第１ゲート側検査配線Ｇ１は、ゲート配線２に沿って配列された第１行目、第３行目、第５行目…のように奇数行のすべてのゲート配線２に接続されている。また、第２ゲート側検査配線Ｇ２は、ゲート配線２に沿って配列された第２行目、第４行目、第６行目…のように偶数行のすべてのゲート配線２に接続されている。なお、これらの接続は、検査用スイッチング素子５を介して行われている。
【００４３】
ソース側検査配線Ｓ１は、ソース配線３のうちの赤画素電極１ｒがスイッチング素子４を介して接続されているソース配線３のすべてに接続されている。また、ソース側検査配線Ｓ２は、ソース配線３のうちの緑画素電極１ｇがスイッチング素子４を介して接続されているソース配線３のすべてに接続されている。また、ソース側検査配線Ｓ３は、ソース配線３のうちの青画素電極１ｂがスイッチング素子４を介して接続されているソース配線３のすべてに接続されている。なお、これらの接続は、検査用スイッチング素子５を介して行われている。
【００４４】
対向電極側検査配線Ｃは、対向電極９に接続されている。
【００４５】
なお、この液晶表示装置における画素電極１と対向電極９との間に狭持された各色の液晶素子（図示省略）は、画素電極１と対向電極９との間の電位差が小さい時に赤、緑、青を表示し、電位差が大きいときに黒を表示するものである。また、スイッチング素子４が遮断されてからつぎに導電されるまでの間は、画素電極１と対向電極９との電位差は、維持される。
【００４６】
なお、本実施の形態の液晶表示装置は、本発明の液晶表示基板を含む手段に対応する。
【００４７】
つぎに、本実施の形態における検査装置の構成図である図１６を参照しながら、検査装置の構成について説明する。
【００４８】
本実施の形態の検査装置は、後述の画面表示を選択するための選択スイッチ１３、および液晶表示装置に入力すべき信号１４を発生するための信号発生手段１２を備えている。ここに、検査用の駆動電位は、信号１４によって、検査配線がガラス基板の上に形成された液晶表示装置の検査配線Ｇ０、Ｇ１、Ｇ２、Ｓ１、Ｓ２、Ｓ３、Ｃに対して印加される。
【００４９】
なお、信号発生手段１２は、本発明に関連する発明のスイッチ制御手段を含む手段に対応する。
【００５０】
つぎに、図２〜８を参照しながら、（１）白画面、（２）黒画面、（３）赤画面、（４）緑画面、（５）青画面、（６）ゲート１ライン毎に黒、白、黒、白、…というフリッカー画面、（７）ゲート１ライン毎に白、黒、白、黒、…というフリッカー画面を、それぞれ表示させるような検査を行う場合における、検査装置の動作について説明する。なお、本実施の形態の検査装置の動作について説明しながら、本発明の液晶表示基板検査方法の一実施の形態についても説明する。
【００５１】
なお、図２は本実施の形態における白表示を行う場合の検査のための駆動電位を示す波形図であり、図３は本実施の形態における黒表示を行う場合の検査のための駆動電位を示す波形図であり、図４は本実施の形態における赤表示を行う場合の検査のための駆動電位を示す波形図であり、図５は本実施の形態における緑表示を行う場合の検査のための駆動電位を示す波形図であり、図６は本実施の形態における青表示を行う場合の検査のための駆動電位を示す波形図である。また、図７は本実施の形態における黒、白、黒、白、…というフリッカー画面表示を行う場合の検査のための駆動電位を示す波形図であり、図８は本実施の形態における白、黒、白、黒、…というフリッカー画面表示を行う場合の検査のための駆動電位を示す波形図である。
【００５２】
図２〜８において、検査配線Ｇ０、第１ゲート側検査配線Ｇ１、第２ゲート側検査配線Ｇ２、ソース側検査配線Ｓ１、Ｓ２、Ｓ３、対向電極側検査配線Ｃに印加される駆動電位を、それぞれＶｇ０、Ｖｇ１、Ｖｇ２、Ｖｓ１、Ｖｓ２、Ｖｓ３、Ｖｃとしている。
【００５３】
Ｖｇ０において、各検査用スイッチング素子５を電気的に導通させるに十分な駆動電位をＶｏｎ＋α電位としている。また、Ｖｇ１、Ｖｇ２において、各スイッチング素子４を電気的に開閉させるに十分な駆動電位を、それぞれＶｏｎ電位、Ｖｏｆｆ電位としている。また、Ｖｓ１、Ｖｓ２、Ｖｓ３における、方形波のセンター電位をＶｓｃ電位、上下のピーク電位をそれぞれＶｓｃ＋β、Ｖｓｃ−β電位としている。また、Ｖｃにおける方形波のセンター電位をＶｃｃ電位、上下のピーク電位をそれぞれＶｃｃ＋γ、Ｖｃｃ−γ電位としている。なお、Ｖｓｃ電位とＶｃｃ電位の間には、Ｖｓｃ−（フィードスルー電位差）＝Ｖｃｃという関係式が成り立つ。ここに、フィードスルー電位差とは、ゲートパルスがオンの時に液晶容量および蓄積容量に充電された電荷が、スイッチング素子４のソースとゲートとの間の寄生容量の影響でゲートパルスがオフになった瞬間に、それぞれの容量に再分配されることにより発生する電位差をいう。
【００５４】
（ａ１）第１ゲート側検査配線Ｇ１に、Ｖｏｆｆ電位からＶｏｎ電位が一度印加されたのちＶｏｆｆ電位が印加され、（ａ２）第２ゲート側検査配線Ｇ２に、Ｖｏｆｆ電位が印加されている状態を、動作１とする。また、（ｂ１）第２ゲート側検査配線Ｇ２に、Ｖｏｆｆ電位からＶｏｎ電位が一度印加されたのちＶｏｆｆ電位が印加され、（ｂ２）第１ゲート側検査配線Ｇ１に、Ｖｏｆｆ電位が印加されている状態を、動作２とする。また、（ｃ３）第１ゲート側検査配線Ｇ１と第２ゲート側検査配線Ｇ２のいずれにも、Ｖｏｆｆ電位が印加されている状態を、動作３とする。なお、動作１および動作２の周期をτａ、駆動電位Ｖｇ１および駆動電位Ｖｇ２がＶｏｎである期間をτｂとする。
【００５５】
つぎに、図９〜１５を参照しながら、図２〜８に示した検査のための駆動電位を印加した場合の、（１）第１ゲート側検査配線Ｇ１に接続された奇数行の赤画素電極１ｒ、緑画素電極１ｇ、青画素電極１ｂのそれぞれの液晶電位Ｖ１ｒ、Ｖ１ｇ、Ｖ１ｂの波形と、（２）第２ゲート側検査配線Ｇ２に接続された偶数行の赤画素電極１ｒ、緑画素電極１ｇ、青画素電極１ｂのそれぞれの液晶電位Ｖ１ｒ、Ｖ１ｇ、Ｖ１ｂの波形とに着目し、各画素電極ごとの表示色と画面全体としての表示色の関係について説明する。
【００５６】
なお、図９は本実施の形態における検査のための白表示を行う場合の画素ごとの液晶電位を示す波形図であり、図１０は本実施の形態における検査のための黒表示を行う場合の画素ごとの液晶電位を示す波形図であり、図１１は本実施の形態における検査のための赤表示を行う場合の画素ごとの液晶電位を示す波形図であり、図１２は本実施の形態における検査のための緑表示を行う場合の画素ごとの液晶電位を示す波形図であり、図１３は本実施の形態における検査のための青表示を行う場合の画素ごとの液晶電位を示す波形図である。また、図１４は本実施の形態における検査のための黒、白、黒、白、…というフリッカー画面表示を行う場合の画素ごとの液晶電位を示す波形図であり、図１５は本実施の形態における検査のための白、黒、白、黒、…というフリッカー画面表示を行う場合の画素ごとの液晶電位を示す波形図である。
【００５７】
図９〜１５に示されているように、ゲート配線２に接続される検査配線を第１ゲート側検査配線Ｇ１、第２ゲート側検査配線Ｇ２の２本とし、第１ゲート側検査配線Ｇ１と第２ゲート側検査配線Ｇ２とに印加するＶｏｎ電位を、所定のタイミングで切り替えて印加することにより、（１）白画面、（２）黒画面、（３）赤画面、（４）緑画面、（５）青画面、（６）ゲート１ライン毎に黒、白、黒、白、…というフリッカー画面、（７）ゲート１ライン毎に白、黒、白、黒、…というフリッカー画面の表示が可能となる。
【００５８】
かくして、（Ａ）スイッチング素子の開閉に起因する不良、（Ｂ）スイッチング素子の特性的不良に起因する不良、（Ｃ）画素電位の保持特性のバラツキによる不良、（Ｄ）各画素構成および前記各配線等のパターンに起因する不良の検査検出力を向上させた液晶表示装置の検査方法を実現することができる。また、液晶表示装置完成前の検査にて、簡易的にフリッカーレベルを評価判断することもできる。
【００５９】
なお、奇数行、偶数行のゲート配線２を、第１ゲート側検査配線Ｇ１、第２ゲート側検査配線Ｇ２にそれぞれ区別して接続する構成とし、ソース配線３より各画素電極１へデータ信号を書き込む時の画素電極１と対向電極９との間の電位状態を考慮した第１ゲート側検査配線Ｇ１、第２ゲート側検査配線Ｇ２に印加するＶｏｎ電位のタイミングにより、第１ゲート側検査配線Ｇ１に接続されたゲート配線２のラインの画素群と第２ゲート側検査配線Ｇ２に接続されたゲート配線２のライン画素群との輝度差（すなわちゲート奇数行の画素電位とゲート偶数行の画素電位におけるフィードスルー電位差）を解消するのに役立てることができる。これによりフリッカー（すなわち画面のぱたつき）を抑えられるのであり、より具体的には、垂直周期（フィールド周期、すなわちある画素にデータが書き込まれてから次に書き込まれるまでの期間に対応する期間）を実質上２４Ｈｚ以上とすることにより、フリッカーのない画面表示を可能とする。なお、上述した本実施の形態では、たとえば図２に示されているように、長周期Ｔlongおよび短周期Ｔshortの長短２種類の垂直周期が存在するが、長周期Ｔlongが２４Ｈｚ以上の周期となっている。
【００６０】
また、ゲート配線２に接続される第１ゲート側検査配線Ｇ１と第２ゲート側検査配線Ｇ２の両方にＶｏｆｆ電位が印加される期間（すなわち動作３の期間）を、液晶表示装置に液晶駆動回路を形成したときの実際の駆動における画素電極１と対向電極９との間の電位差を維持する期間と等しくする。この場合、本実施の形態の検査方法では、上記のように長短２種類の垂直周期が存在するため、長い方のＶｏｆｆ電位の期間を、液晶表示装置に液晶駆動回路を形成したときの実際の駆動における画素電極１と対向電極９との間の電位差を維持する期間と等しくする。その理由は、本実施の形態の検査方法による検査は液晶表示装置製造過程における中間検査であるため、画素電位の保持特性に起因する不良の過剰検査を避けるためである。これにより画素電位の保持特性ばらつきによる点欠陥が認識可能となる。なお、保持特性は、スイッチング素子のオフ電流、画素容量および液晶抵抗を通じてのリーク電流などに依存する。
【００６１】
また、スイッチング素子４を第１ゲート側検査配線Ｇ１または第２ゲート側検査配線Ｇ２への印加電位によりオンとする期間τｂは、液晶表示装置内におけるゲート配線２の電位がＶｏｆｆ電位の状態から、第１ゲート側検査配線Ｇ１または第２ゲート側検査配線Ｇ２に、Ｖｏｎ電位を印加して、ゲート配線２の電位が０．９×（Ｖｏｎ−Ｖｏｆｆ）＋Ｖｏｆｆとなる時の立ち上がり期間とすることが望ましい。さらに、期間τｂは、（１）スイッチング素子４を通して画素電極１にソース配線３からのデータ信号を書き込むのに必要な期間と、（２）液晶表示装置内のゲート配線２の電位が、Ｖｏｎ電位の状態から、第１ゲート側検査配線Ｇ１または第２ゲート側検査配線Ｇ２に、Ｖｏｆｆ電位を印加してゲート配線２の電位が０．９×（Ｖｏｆｆ−Ｖｏｎ）＋Ｖｏｎとなる時の立ち下がり期間とを加算した期間以上とすることが望ましい。また、期間τｂは、（１）液晶表示装置内のゲート配線２の電位が、Ｖｏｆｆ電位の状態から、第１ゲート側検査配線Ｇ１、第２ゲート側検査配線Ｇ２に、Ｖｏｎ電位を印加して、ゲート配線２の電位がＶｏｎ電位となるときの立ち上がり期間と、（２）上記スイッチング素子４を通して画素電極１にソース配線３からのデータ信号を書き込むのに必要な期間と、（３）液晶表示装置内のゲート配線２の電位がＶｏｎ電位の状態から第１ゲート側検査配線Ｇ１または第２ゲート側検査配線Ｇ２にＶｏｆｆ電位を印加してゲート配線２の電位がＶｏｆｆとなるときの立ち下がり期間とを加算した期間未満とすることが望ましい。
【００６２】
なぜならば、ゲート配線２に印加される駆動電位Ｖｇ１および駆動電位Ｖｇ２は、第１ゲート側検査配線Ｇ１および第２ゲート側検査配線Ｇ２とゲート配線２が持っている抵抗および容量により遅延を生じる。スイッチング素子４をオンとする時間が長過ぎると、Ｖｏｎ電位からＶｏｆｆ電位へ変化させる波形に遅延が生じることにより、スイッチング素子４を所定のタイミングで遮断できなくなり、スイッチング素子４に起因する不良が検出できない恐れがある。上述のようにすることにより、スイッチング素子４のスイッチング特性のバラツキによる点欠陥の、特に輝点に対して、液晶駆動回路形成時における駆動画面との相関性（つまり輝点の視認性）が一致することになる。
【００６３】
また、動作１および動作２の動作期間にあたる期間τａは、Ｖｏｎ電位を印加する期間τｂの２倍以上にすることが望ましい。なぜならば、前述のようにゲート配線２に印加される駆動電位Ｖｇ１および駆動電位Ｖｇ２は、第１ゲート側検査配線Ｇ１、第２ゲート側検査配線Ｇ２およびゲート配線２が持つ抵抗および容量により遅延を生じる。そのため、スイッチング素子４のゲート電位をオフとし切らない間にソース配線３の駆動電位Ｖｓ１〜Ｖｓ３の切り替わり、その時の電位が画素に書き込まれる恐れがあるからである。
【００６４】
また、第１ゲート側検査配線Ｇ１と第２ゲート側検査配線Ｇ２のように２本設けた場合、第１ゲート側検査配線Ｇ１に接続される奇数行のゲート配線２の駆動電位Ｖｇ１の振幅と、第２ゲート側検査配線Ｇ２に接続される偶数行のゲート配線２に印加される駆動電位Ｖｇ２の振幅とを同一にし、ゲート配線２に接続された同色の各画素の画素電極１における液晶電圧を、奇数行と偶数行とに係わらず、同一にすることが望ましい。そこで、各ゲート配線２は、第１ゲート側検査配線Ｇ１または第２ゲート側検査配線Ｇ２のどちらかに接続するとともに、他方の第２ゲート側検査配線Ｇ２または第１ゲート側検査配線Ｇ１とは、配線パターン上で交差する構造とし、２本の第１ゲート側検査配線Ｇ１と第２ゲート側検査配線Ｇ２に生じる抵抗、容量を同一にさせるようにしている。
【００６５】
なお、検査完了後、液晶駆動回路を形成し、液晶表示装置を動作させて画像を表示する際には、検査配線Ｇ０には検査用スイッチング素子５が電気的に導通しない電位を印加し、（１）前記ソース側検査配線Ｓ１、Ｓ２、Ｓ３と前記ソース配線３、（２）前記第１ゲート側検査配線Ｇ１と前記奇数行のゲート配線２、（３）前記第２ゲート側検査配線Ｇ２と前記偶数行のゲート配線２との、液晶駆動回路形成時での液晶表示装置の通常動作に必要でない電気接続を、遮断することはもちろんである。これにより、従来レーザー光を照射して配線パターンの一部を溶断、または割断等によって前記電気接続を遮断するという作業をなくすことができ、生産性を向上させることができる。
【００６６】
また、前記各検査配線とソース配線３、ゲート配線２、対向電極９の間のパターン短絡による電荷分散効果により、静電気によるスイッチング素子４の破壊、およびスイッチング特性不良の防止効果が期待できる。
【００６７】
以上で、本実施の形態について説明した。
【００６８】
なお、上述した本実施の形態では、画素電極１がストライプ配列に配置された液晶表示装置を例に挙げて説明したが、本発明は、画素電極１をデルタ配列に配置した液晶表示装置に対しても有効である。すなわち、画素電極１をデルタ配列に配置した液晶表示装置は、前記対向電極側検査配線Ｃと前記対向電極９を接続し、前記ソース側検査配線Ｓ１、Ｓ２、Ｓ３と前記ソース配線３、前記第１ゲート側検査配線Ｇ１と前記奇数行のゲート配線２、前記第２ゲート側検査配線Ｇ２と前記偶数行のゲート配線２とを検査用スイッチング素子５を介して接続し、前記検査用スイッチング素子５のゲートに電位を与える検査配線Ｇ０を備えた構成とする。そして、前記検査配線Ｇ０には検査用スイッチング素子５が電気的に導通させる電位を印加した状態にて、前記第１ゲート側検査配線Ｇ１と前記第２ゲート側検査配線Ｇ２に印加するＶｏｎ電位を、前述した本実施の形態に説明したようなタイミングにて印加し、ソース側検査配線Ｓ１、Ｓ２、Ｓ３に白、黒、赤、緑、青を表示させるようなデータ信号の電位を印加して、画像検査する（もちろん、データ信号の電位の印加は、デルタ配列に対応したものである必要がある）。かくして、スイッチング素子４の開閉に起因する不良、スイッチング素子４の特性的不良に起因する不良、画素電位の保持特性のばらつきによる不良、各画素構成および前記各配線等のパターンに起因する不良の検査検出力を向上させた液晶表示装置の検査方法を簡易的に実現する。また、ゲート１ライン毎に黒、白、黒、白、…、または白、黒、白、黒、…というフリッカー画面の表示を可能とし、液晶表示装置完成前の検査にて、簡易的にフリッカーレベルを評価判断することも可能とする。そして、検査完了後の各検査配線との接続を電気的にオープンにする作業をなくし、生産性を向上させることができる。
【００６９】
このように、本発明に関連する発明は、たとえば、各列に赤、緑、青の各画素の画素電極がスイッチング素子を介してソース配線に接続され、前記スイッチング素子のゲートに電位を与える各ゲート配線群の奇数行の画素の色と偶数行の画素の色との組み合わせが同一な前記ソース配線のすべてに接続したソース側検査配線を前記画素群の３列ごとに接続された３本の配線で構成するとともに、奇数行の前記各ゲート配線に接続した第１ゲート側検査配線と、偶数行の前記各ゲート配線に接続した第２ゲート側検査配線と、前記各画素電極のすべてが液晶と挟んで対向するように設けられた対向電極に接続した対向電極側検査配線とを備え、前記ソース側検査配線と前記ソース配線との接続、前記第１ゲート側検査配線と前記奇数行のゲート配線との接続、前記第２ゲート側検査配線と前記偶数行のゲート配線との接続、前記対向電極側検査配線と前記対向電極との接続のうちいずれかの、前記ソース側検査配線と前記ソース配線、前記第１ゲート側検査配線と前記奇数行のゲート配線、前記第２ゲート側検査配線と前記偶数行のゲート配線、前記対向電極側検査配線と前記対向電極を検査用スイッチング素子を介して接続する構成とし、前記検査用スイッチング素子のゲートに電位を与える検査用ゲート配線を備えたことを特徴とする液晶表示装置である。これにおいて、液晶表示装置の完了前の検査にて簡易的に検査することができるという作用を有する。また、液晶表示装置の完了前の検査完了後に、第１ゲート側検査配線および第２ゲート側検査配線と各ゲート配線との電気接続、各ソース側検査配線と各ソース配線との電気接続、対向電極側配線と対向電極との電気接続のうちで、スイッチング素子を介して接続した構成とした部分につき、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有し、かつソース、ゲート配線が各検査配線とパターン的に短絡していることにより、静電気によるスイッチング素子の破壊、スイッチング特性不良防止の作用も有する。
【００７０】
また、本発明に関連する発明は、たとえば、スイッチング素子のゲートに電位を与える各ゲート配線群の奇数行の画素の色と偶数行の画素の色との組み合わせが同一なソース配線のすべてに、検査用スイッチング素子を介して接続したソース側検査配線を前記画素群の３列ごとに接続された３本の配線で構成するとともに、奇数行の前記各ゲート配線に接続した第１ゲート側検査配線と、偶数行の前記各ゲート配線に接続した第２ゲート側検査配線と、前記各画素電極のすべてが液晶と挟んで対向するように設けられた対向電極に接続した対向電極側検査配線とを備え、前記ソース側検査配線および前記第１ゲート側検査配線および前記第２ゲート側検査配線それぞれに設けられた前記検査用スイッチング素子のゲートに電位を与える検査用ゲート配線を備えたことを特徴とする前述の液晶表示装置である。これにおいて、液晶表示装置の完了前の検査にて簡易的に検査することができるという作用を有する。また、液晶表示装置の完了前の検査完了後に、第１ゲート側検査配線および第２ゲート側検査配線と各ゲート配線との電気接続を、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有し、かつソース、ゲート配線が各検査配線とパターン的に短絡していることにより、静電気によるスイッチング素子の破壊、スイッチング特性不良防止の作用も有する。
【００７１】
また、本発明に関連する発明は、たとえば、スイッチング素子のゲートに電位を与える各ゲート配線群の奇数行の画素の色と偶数行の画素の色との組み合わせが同一なソース配線のすべてに接続したソース側検査配線を前記画素群の３列ごとに接続された３本の配線で構成するとともに、奇数行の前記各ゲート配線に検査用スイッチング素子を介して接続した第１ゲート側検査配線と、偶数行の前記各ゲート配線に検査用スイッチング素子を介して接続した第２ゲート側検査配線と、前記各画素電極のすべてが液晶と挟んで対向するように設けられた対向電極に接続した対向電極側検査配線とを備え、前記ソース側検査配線に設けられた前記検査用スイッチング素子のゲートに電位を与える検査用ゲート配線を備えたことを特徴とする前述の液晶表示装置である。これにおいて、液晶表示装置の完了前の検査にて簡易的に検査することができるという作用を有する。また、液晶表示装置の完了前の検査完了後に、各ソース側検査配線と各ソース配線との電気接続を、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有し、かつソース、ゲート配線が各検査配線とパターン的に短絡していることにより、静電気によるスイッチング素子の破壊、スイッチング特性不良防止の作用も有する。
【００７２】
また、本発明に関連する発明は、たとえば、前記スイッチング素子のゲートに電位を与える各ゲート配線の列における奇数行の画素の色と偶数行の画素の色との組み合わせが同一な前記ソース配線のすべてに接続したソース側検査配線を前記組み合わせごとに設けるとともに、奇数行の前記各ゲート配線に検査用スイッチング素子を介して接続した第１ゲート側検査配線と、偶数行の前記各ゲート配線に検査用スイッチング素子を介して接続した第２ゲート側検査配線と、前記各画素電極のすべてが液晶と挟んで対向するように設けられた対向電極に接続した対向電極側検査配線とを備え、前記第１ゲート側検査配線および前記第２ゲート側検査配線それぞれに設けられた前記検査用スイッチング素子のゲートに電位を与える検査用ゲート配線を備えたことを特徴とする前述の液晶表示装置である。これにおいて、液晶表示装置の完了前の検査にて簡易的に検査することができるという作用を有する。また、液晶表示装置の完了前の検査完了後に、第１ゲート側検査配線および第２ゲート側検査配線と各ゲート配線との電気接続、各ソース側検査配線と各ソース配線との電気接続を、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有し、かつソース、ゲート配線が各検査配線とパターン的に短絡していることにより、静電気によるスイッチング素子の破壊、スイッチング特性不良防止の作用も有する。
【００７３】
また、本発明に関連する発明は、たとえば、画素配列がデルタ配列とストライプ配列とのいずれかである液晶表示装置であることを特徴とする前述の液晶表示装置である。これにおいて、画素配列がデルタ配列であるかストライプ配列であるかに関係なく、液晶表示装置の完了前の検査にて簡易的に検査することができるという作用を有する。
【００７４】
また、本発明に関連する発明は、たとえば、検査用ゲート配線には検査用スイッチング素子が電気的に導通させる電位を印加した状態にて、第１ゲート側検査配線および第２ゲート側検査配線に印加する駆動電位により、奇数行の画素と偶数行の画素とを分離して駆動させることを特徴とする前述の液晶表示装置の検査方法である。これにおいて、画素配列がデルタ配列であるかストライプ配列であるかに関係なく、液晶表示装置の完了前の検査にて簡易的に検査することができるという作用を有する。
【００７５】
また、本発明は、たとえば、第１ゲート側検査配線または第２ゲート側検査配線への印加電位によりスイッチング素子をオン状態とする所定の期間として、前記スイッチング素子をオフとする電位をＶｏｆｆ、前記スイッチング素子をオンとする電位をＶｏｎとしたとき、液晶表示装置内のゲート配線の電位がＶｏｆｆ電位の状態からＶｏｎ電位を印加して０．９×（Ｖｏｎ―Ｖｏｆｆ）＋Ｖｏｆｆとなる立ち上がり期間と、前記スイッチング素子を介して画素電極にソース配線からデータ信号を書き込むのに要する期間と、前記ゲート配線の電位がＶｏｎの状態からＶｏｆｆ電位を印加して０．９×（Ｖｏｆｆ―Ｖｏｎ）＋Ｖｏｎとなる立ち下がり期間とを加算した期間以上であり、かつ液晶表示装置内のゲート配線の電位がＶｏｆｆの状態からＶｏｎ電位を印加してＶｏｎとなる立ち上がり期間と、前記スイッチング素子を介して画素電極にソース配線からデータを書き込むのに要する期間と、液晶表示装置内のゲート配線の電位がＶｏｎの状態からＶｏｆｆ電位を印加してＶｏｆｆとなる立ち下がり期間とを加算した期間未満とするようにした前述の液晶表示装置の検査方法である。これにおいて、画素配列がデルタ配列であるかストライプ配列であるかに関係なく、液晶表示装置の完了前の検査にて、スイッチング素子の開閉に起因する不良、スイッチング素子の特性的不良に起因する不良の検査検出力を向上させ、液晶表示装置完成前の検査で液晶駆動回路形成時の駆動画面と比較して液晶表示装置の不良視認の相関性、一致性を高めるという作用を有する。
【００７６】
また、本発明は、たとえば、第１ゲート側検査配線および第２ゲート側検査配線の一方に対応したスイッチング素子がオン状態に切り替えられてから、このオン状態を所定期間続けたうえでオフ状態に切り替えられ、その後に、第１ゲート側検査配線および第２ゲート側検査配線の他方に対応したスイッチング素子がオン状態に切り替えられるまでの期間を、前記スイッチング素子が続けるオン状態の期間の２倍以上の期間とすることを特徴とする前述の液晶表示装置の検査方法である。これにおいて、液晶表示装置完成前の検査でソース配線からのデータ信号をスイッチング素子を通して画素電極に書き込む時、前記スイッチング素子のゲートしきい値に対してマージンを保たせて、ソース配線からのデータ信号を前記画素電極に書き込む動作を適切かつ確実に行うという作用を有する。
【００７７】
また、本発明は、たとえば、第１ゲート側検査配線および第２ゲート側検査配線にはスイッチング素子を電気的に導通させる電位を交互に印加させ、
ソース側検査配線には、前記スイッチング素子が電気的に導通になるタイミングに合わせてデータ信号、および対向電極側検査配線には対向電極電位を印加して、白、黒、赤、緑、および青色のカラー単色画面を表示させて検査を行うことを特徴とする前述の液晶表示装置の検査方法である。これにおいて、画素配列がデルタ配列であるかストライプ配列であるかに関係なく、液晶表示装置の完了前の検査にて、白、黒、赤、緑、青のカラー単色画面を表示させて、簡易的に液晶表示装置の検査ができるという作用を有する。
【００７８】
また、本発明は、たとえば、第１ゲート側検査配線への印加電位によりスイッチング素子をオフ状態から所定の期間オン状態としたのちオフ状態とし、その所定の期間中は前記第２ゲート側検査配線への印加電位により前記スイッチング素子をオフ状態とする動作を動作１とし、第２ゲート側検査配線への印加電位によりスイッチング素子をオフ状態から所定の期間オン状態としたのちオフ状態とし、その所定の期間中は前記第１ゲート側検査配線への印加電位により前記スイッチング素子をオフ状態とする動作を動作２とし、第１ゲート側検査配線と第２ゲート側検査配線への印加電位により前記スイッチング素子をいずれもオフ状態とする動作を動作３としたとき、動作１、動作２、動作３、動作２、動作１、動作３の順序の一連の動作を繰り返し行い、ソース側検査配線には、前記スイッチング素子が電気的に導通になるタイミングに合わせてデータ信号、および対向電極側検査配線には対向電極電位を印加して、白、黒、赤、緑、および青色のカラー単色画面を表示させて検査を行うことを特徴とする前述の液晶表示装置の検査方法である。これにおいて、画素配列がデルタ配列であるかストライプ配列であるかに関係なく、液晶表示装置の完了前の検査にて、白、黒、赤、緑、青のカラー単色画面を表示させて、簡易的に液晶表示装置の検査ができるという作用を有し、かつスイッチング素子の開閉に起因する不良、スイッチング素子の特性的不良に起因する不良、各画素構成および前記各配線等のパターンに起因する不良の検査検出力を向上させ、液晶表示装置完成前の検査で液晶駆動回路形成時の駆動画面と比較して液晶表示装置の不良視認の相関性、一致性を高めるという作用を有する。
【００７９】
また、本発明は、たとえば、各ソース側検査配線に、画素に赤、緑、青を表示させる第１のデータ信号と、画素に黒を表示させる第２のデータ信号とを選択的に印加し、第１ゲート側検査配線および第２ゲート側検査配線への印加電位によって、ソース側検査配線に第１のデータ信号と第２のデータ信号との一方が印加されているときに、奇数行と偶数行との一方のスイッチング素子をオン状態とするともに他方のスイッチング素子をオフ状態としてその状態を所定時間だけ維持させ、かつソース側検査配線に第１のデータ信号と第２のデータ信号との他方が印加されているときに、奇数行と偶数行との他方のスイッチング素子をオン状態にするとともに、前記一方のスイッチング素子をオフ状態としてその状態を所定時間だけ維持させて、ゲート１ライン毎に黒、白、黒、白、…、または白、黒、白、黒、…というフリッカー画面を表示させて検査を行うことを特徴とする前述の液晶表示装置の検査方法である。これにおいて、画素配列がデルタ配列であるかストライプ配列であるかに関係なく、液晶表示装置の完了前の検査にて、ゲート１ライン毎に黒、白、黒、白、…または、白、黒、白、黒、…というフリッカー画面の表示を可能とし、液晶表示装置完成前の検査にて、簡易的にフリッカーレベルを評価判断することができるという作用を有する。
【００８０】
また、本発明は、たとえば、第１ゲート側検査配線および第２ゲート側検査配線にスイッチング素子が導通する電位を交互に印加する周波数を２４Ｈｚ以上にして検査する前述の検査方法である。これにおいて、液晶表示装置の完了前の検査にて、画素電位の保持特性のバラツキによる不良の検査検出力を向上させ、液晶表示装置完成前の検査で液晶駆動回路形成時の駆動画面と比較して液晶表示装置の不良視認の相関性、一致性を高めるという作用を有する。
【００８１】
また、本発明は、たとえば、第１ゲート側検査配線と第２ゲート側検査配線とへの印加電位によりスイッチング素子をオフ状態からオン状態に切り替えた状態から、オフ状態に切り替え、その後に時間をおいて再びオン状態に切り替えるまでの期間を長短２種類存在させ、そのうちの長いほうの期間を、４１．６ｍｓ以下、つまり周波数で表記すれば２４Ｈｚ以上にすることを特徴とする前述の液晶表示装置である。これにおいて、液晶表示装置完成前の検査で、液晶駆動回路形成時の駆動画面と比較して液晶表示装置の不良視認の相関性、一致性を高めるという作用を有する。
【００８２】
また、本発明は、たとえば、第１ゲート側検査配線と第２ゲート側検査配線とへの印加電位によりスイッチング素子をオフ状態からオン状態に切り替えた状態から、オフ状態に切り替え、その後に時間をおいて再びオン状態に切り替えるまでの期間を長短２種類存在させ、そのうちの長いほうの期間を、画素が所定期間のオン状態での色と同じ色を表示し続け得る期間と同等にすることを特徴とする前述の液晶表示装置である。これにおいて、液晶表示装置完成前の検査で、液晶駆動回路形成時の駆動画面と比較して液晶表示装置の不良視認の相関性、一致性を高めるという作用を有する。
【００８３】
また、本発明に関連する発明は、たとえば、液晶表示装置の各配線および各検査配線の抵抗および容量により生じる遅延を解消するために、スイッチング素子のオンオフ動作を司る目的で第１ゲート側検査配線および第２ゲート側検査配線に印加する駆動電位と、画素電極に書き込むデータ信号とを時間的に遅らせるかまたは早めることを特徴とする前述の液晶表示装置の検査方法である。これにおいて、液晶表示装置完成前の検査でソース配線からのデータ信号をスイッチング素子を通して画素電極に書き込む時、前記スイッチング素子のゲートしきい値に対してマージンを保たせて、ソース配線からのデータ信号を前記画素電極に書き込む動作を適切かつ確実に行う作用を有する。
【００８４】
また、本発明に関連する発明は、たとえば、各ソース側検査配線、第１ゲート側検査配線、第２ゲート側検査配線、前記対向電極側検査配線、および検査用ゲート配線へ、前述の液晶表示装置の検査方法を可能にした信号発生手段を設けたことを特徴とする液晶表示装置の検査装置である。これにおいて、液晶表示装置完成前の検査で、簡易的に液晶表示装置を検査することができるという作用を有する。
【００８５】
また、本発明に関連する発明は、たとえば、検査完了後、液晶駆動回路形成時での液晶表示装置を動作させて画像を表示するうえで、検査用ゲート配線には検査用スイッチング素子が電気的に導通しない電位が印加させるような構成を備えたことを特徴とする前述の液晶表示装置である。これにおいて、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有する。
【００８６】
また、本発明に関連する発明は、たとえば、検査完了後、第１ゲート側検査配線および第２ゲート側検査配線と各ゲート配線との接続、対向電極側配線と対向電極との接続のうち、液晶駆動回路形成時での液晶表示装置の通常動作に必要でない電気接続をオープンにし、液晶駆動回路形成時での液晶表示装置を動作させて画像を表示するうえで、検査用ゲート配線には検査用スイッチング素子が電気的に導通しない電位が印加させるような構成を備えたことを特徴とする前述の液晶表示装置である。これにおいて、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有する。
【００８７】
また、本発明に関連する発明は、たとえば、検査完了後、各ソース側検査配線と各ソース配線との接続、対向電極側配線と対向電極との接続のうち、液晶駆動回路形成時での液晶表示装置の通常動作に必要でない電気接続をオープンにし、液晶駆動回路形成時での液晶表示装置を動作させて画像を表示するうえで、検査用ゲート配線には検査用スイッチング素子が電気的に導通しない電位が印加させるような構成を備えたことを特徴とする前述の液晶表示装置である。これにおいて、液晶駆動回路形成時での液晶表示装置を動作させて画像を表示するうえで、検査用ゲート配線に検査用スイッチング素子が電気的に導通しない電位を印加させることにより、液晶駆動回路形成時での液晶表示装置の通常動作に必要でない電気接続を遮断することができ、これにより各検査配線との接続を電気的にオープンにする作業をなくし、生産性を向上させることができるという作用を有する。
【００８８】
また、本発明に関連する発明は、たとえば、複数列のソース配線と複数行のゲート配線との交差部に対応して配置された複数の画素電極と、前記複数の画素電極に対向する対向電極と、前記複数の画素電極と前記対向電極との間に狭持される複数の液晶素子と、前記ゲート配線に設けられた接続状態を切り替えるためのゲート配線用スイッチ手段と、前記ゲート配線用スイッチ手段を介して、前記複数行のゲート配線の内、（１）奇数行のゲート配線に接続される第１ゲート配線用検査配線、および（２）偶数行のゲート配線に接続される第２ゲート配線用検査配線とを備え、前記ゲート配線用スイッチ手段は、液晶表示基板の検査を行うときに、外部からの所定の作用に基づいて、前記接続状態のオン／オフ状態を切り替えられることを特徴とする液晶表示基板である。
【００８９】
また、本発明に関連する発明は、たとえば、複数列のソース配線と複数行のゲート配線との交差部に対応して配置された複数の液晶素子と、前記ゲート配線に設けられた接続状態を切り替えるためのゲート配線用スイッチ手段と、前記ゲート配線用スイッチ手段を介して、前記複数行のゲート配線の内、（１）奇数行のゲート配線に接続される第１ゲート配線用検査配線、および（２）偶数行のゲート配線に接続される第２ゲート配線用検査配線とを備えたことを特徴とする液晶表示基板に対する検査を行うための液晶表示基板検査装置であって、前記ゲート配線用スイッチ手段の前記接続状態のオン／オフ状態の切替を制御するためのスイッチ制御手段を備えたことを特徴とする液晶表示基板検査装置である。
【００９０】
また、本発明は、たとえば、複数列のソース配線と複数行のゲート配線との交差部に対応して配置された複数の液晶素子と、前記ゲート配線に設けられた接続状態を切り替えるためのゲート配線用スイッチ手段と、前記ゲート配線用スイッチ手段を介して、前記複数行のゲート配線の内、奇数行のゲート配線に接続される第１ゲート配線用検査配線、および偶数行のゲート配線に接続される第２ゲート配線用検査配線とを備えたことを特徴とする液晶表示基板に対する検査を行うための液晶表示基板検査方法であって、（１）前記ゲート配線用スイッチ手段の前記接続状態をオン状態に切り替え、（２）前記奇数行のゲート配線に対し前記第１ゲート配線用検査配線から所定の第１ゲート配線用検査信号の供給を行い、（３）前記偶数行のゲート配線に対し前記第２ゲート配線用検査配線から所定の第２ゲート配線用検査信号の供給を行うことを特徴とする液晶表示基板検査方法である。
【００９１】
このように、本発明の液晶表示装置の検査方法は、たとえば、行ごとのゲート配線に接続する検査配線を第１ゲート側検査配線と第２ゲート側検査配線との２本とし、ゲート配線を１行置きに第１ゲート側検査配線と第２ゲート側検査配線に交互に接続し、前記第１および第２ゲート側検査配線と各ゲート配線との接続と、ソース側検査配線と各ソース配線との接続には、検査用のスイッチング素子を介して接続する構成とし、前記検査用スイッチング素子のゲートに電位を与える検査用ゲート配線を設け、前記検査用ゲート配線には前記検査用スイッチング素子が電気的に導通させる電位を印加した状態にて、第１ゲート側検査配線への印加電位により、前記スイッチング素子をオフ状態から所定期間オン状態としたのちオフ状態とし、その所定期間中は前記第２ゲート側検査配線への印加電位により前記スイッチング素子をオフ状態とする動作を動作１とし、第２ゲート側検査配線への印加電位により、前記スイッチング素子をオフ状態から所定期間オン状態としたのちオフ状態とし、その所定期間中は第１ゲート側検査配線への印加電位により前記スイッチング素子をオフ状態とする動作を動作２と定義し、第１ゲート側検査配線と第２ゲート側検査配線への印加電位により前記スイッチング素子をオフ状態とする動作を動作３と定義した時、動作１、動作２、動作３、動作２、動作１、動作３、…の順序の一連の動作を繰り返して行うことにより、白、黒、赤、緑、青のカラー単色画面、およびゲート１ライン毎に黒、白、黒、白、…、または白、黒、白、黒、…というフリッカー画面を表示させて検査するようにした液晶表示装置およびその検査方法である。
【００９２】
なお、本発明に関連する発明のソース配線用スイッチ手段は、上述された本実施の形態においては、所定の電位の印加によってオン状態となる各ソース配線ごとに設けられた複数の検査用スイッチング素子５であった。しかし、本発明に関連する発明のソース配線用スイッチ手段は、これに限らず、たとえば、脱着自在な所定の治具をはめ込み装着することによりオン状態となるような電気的接続切替用部材などであってもよい。
【００９３】
また、本発明に関連する発明のゲート配線用スイッチ手段は、上述された本実施の形態においては、所定の電位の印加によってオン状態となる各ゲート配線ごとに設けられた複数の検査用スイッチング素子５であった。しかし、本発明に関連する発明のゲート配線用スイッチ手段は、これに限らず、たとえば、上述のような電気的接続切替用部材などであってもよい。
【００９４】
また、本発明の検査用スイッチング素子は、上述された本実施の形態においては、検査配線Ｇ０から所定の電位の印加を行うことにより、全てが同時にオン／オフ状態を切り替えられた。しかし、本発明の検査用スイッチング素子は、これに限らず、たとえば、検査用スイッチング素子に連結された所定の電位の印加を行うための検査配線を所定のルールに基づいて設けることにより、個々が別々にオン／オフ状態を切り替えられてもよい。
【００９５】
また、本発明の検査用スイッチング素子は、上述された本実施の形態においては、各ゲート配線２および各ソース配線３の全部に対して設けられていた、しかし、本発明の検査用スイッチング素子は、これに限らず、要するに、ゲート配線およびソース配線の全部または一部に設けられていてもよい。
【００９６】
また、本発明のソース配線用検査配線は、上述された本実施の形態においては、赤画素電極１ｒが接続されているソース配線３に接続されるソース側検査配線Ｓ１、緑画素電極１ｇが接続されているソース配線３に接続されるソース側検査配線Ｓ２、および青画素電極１ｂが接続されているソース配線３に接続されるソース側検査配線Ｓ３であった。しかし、本発明のソース配線用検査配線は、これに限らず、たとえば、（１）全部のソース配線に一括して接続されていてもよいし、（２）一部のソース配線にのみ接続されていてもよい。
【００９７】
また、本発明のゲート配線用検査配線は、上述された本実施の形態においては、奇数行のゲート配線２に接続された第１ゲート側検査配線Ｇ１、および偶数行のゲート配線２に接続された第２ゲート側検査配線Ｇ２であった。しかし、本発明のゲート配線用検査配線は、これに限らず、たとえば、（１）全部のゲート配線に一括して接続されていてもよいし、（２）一部のゲート配線にのみ接続されていてもよい。
【００９８】
本発明に関連する発明は、上述した本発明に関連する発明の液晶表示基板検査装置の全部または一部の手段（または、装置、素子、回路、部など）の機能をコンピュータにより実行させるためのプログラムであって、コンピュータと協働して動作するプログラムである。なお、本発明に関連する発明のコンピュータは、ＣＰＵなどの純然たるハードウェアに限らず、ファームウェアやＯＳ、さらに周辺機器を含むものであっても良い。
【００９９】
本発明に関連する発明は、上述した本発明の液晶表示基板検査方法の全部または一部のステップ（または、工程、動作、作用など）の動作をコンピュータにより実行させるためのプログラムであって、コンピュータと協働して動作するプログラムである。
【０１００】
なお、本発明に関連する発明の一部の手段（または、装置、素子、回路、部など）、本発明の一部のステップ（または、工程、動作、作用など）は、それらの複数の手段またはステップの内の幾つかの手段またはステップを意味する、あるいは一つの手段またはステップの内の一部の機能または一部の動作を意味するものである。
【０１０１】
また、本発明に関連する発明の一部の装置（または、素子、回路、部など）は、それら複数の装置の内の幾つかの装置を意味する、あるいは一つの装置の内の一部の手段（または、素子、回路、部など）を意味する、あるいは一つの手段の内の一部の機能を意味するものである。
【０１０２】
また、本発明に関連する発明のプログラムを記録した、コンピュータに読みとり可能な記録媒体も本発明に関連する発明に含まれる。また、本発明に関連する発明のプログラムの一利用形態は、コンピュータにより読み取り可能な記録媒体に記録され、コンピュータと協働して動作する態様であっても良い。また、本発明に関連する発明のプログラムの一利用形態は、伝送媒体中を伝送し、コンピュータにより読みとられ、コンピュータと協働して動作する態様であっても良い。また、記録媒体としては、ＲＯＭ等が含まれ、伝送媒体としては、インターネット等の伝送媒体、光・電波・音波等が含まれる。
【０１０３】
なお、本発明の構成は、ソフトウェア的に実現しても良いし、ハードウェア的に実現しても良い。
【０１０４】
かくして、デルタ配列であるかストライプ配列であるかに関係なく、スイッチング素子の開閉に起因する不良、スイッチング素子の特性的不良に起因する不良、画素電位の保持特性のバラツキによる不良、各画素構成および前記各配線等のパターンに起因する不良の検査検出力を向上させた液晶表示装置の検査方法を実現し、ゲート１ライン毎に黒、白、黒、白、…、または白、黒、白、黒、…というフリッカー画面の表示を可能とし、液晶表示装置完成前の検査にて、簡易的にフリッカーレベルを評価判断することも可能とし、かつ検査完了後の各検査配線との接続を電気的にオープンにする作業をなくし、生産性を向上させることができる。
【０１０５】
つまり、本発明の液晶表示装置の検査方法によれば、たとえば、奇数行のスイッチング素子のゲート配線に検査用のスイッチング素子を介して接続した第１ゲート側検査配線と、偶数行のスイッチング素子のゲート配線に検査用のスイッチング素子を介して接続した第２ゲート側検査配線と、ソース配線に検査用のスイッチング素子を介して接続した３本のソース側検査配線と、対向電極に接続した対向電極側検査配線を設け、奇数行の画素と偶数行の画素とを分離して駆動させることにより、画素配列がストライプ配列、デルタ配列に関係なく、簡易画像検査が実現できる。また、画素電極の配置がデルタ配列であるかストライプ配列であるかに関係なく、スイッチング素子の開閉に起因する不良、およびスイッチング素子の特性的不良に関する不良、かつ画素電位の保持特性のばらつきによる不良、各画素構成および前記各配線等のパターンに起因する不良を検出することができ、液晶駆動回路形成時での駆動画面との相関性を高めた検査をすることができる。
本発明に関連する第１の発明は、複数列のソース配線と複数行のゲート配線との交差部に対応して配置された複数の画素電極と、
前記複数の画素電極に対向する対向電極と、
前記複数の画素電極と前記対向電極との間に狭持される複数の液晶素子と、
前記ソース配線に設けられた接続状態を切り替えるためのソース配線用スイッチ手段と、
前記ソース配線用スイッチ手段を介して前記ソース配線に接続されるソース配線用検査配線と、
前記ゲート配線に設けられた接続状態を切り替えるためのゲート配線用スイッチ手段と、
前記ゲート配線用スイッチ手段を介して前記ゲート配線に接続されるゲート配線用検査配線とを備え、
前記ソース配線用スイッチ手段および前記ゲート配線用スイッチ手段は、液晶表示基板の検査を行うときに、外部からの所定の作用に基づいて、前記接続状態のオン／オフ状態を切り替えられる液晶表示基板である。
本発明に関連する第２の発明は、前記ソース配線用スイッチ手段は、所定の電位の印加によってオン状態となる、各ソース配線ごとに設けられた複数の検査用スイッチング素子であり、
前記ゲート配線用スイッチ手段は、所定の電位の印加によってオン状態となる、各ゲート配線ごとに設けられた複数の検査用スイッチング素子であり、
前記各ソース配線ごとに設けられた複数の検査用スイッチング素子、および前記各ゲート配線ごとに設けられた複数の検査用スイッチング素子に連結された、前記所定の電位の印加を行うための検査配線を備え、
前記検査を行うときには、前記検査配線に対する前記所定の電位の印加が行われる本発明に関連する第１の発明の液晶表示基板である。
本発明に関連する第３の発明は、前記複数の画素電極の配置は、デルタ配列またはストライプ配列の何れかによって行われている本発明に関連する第２の発明の液晶表示基板である。
本発明に関連する第４の発明は、前記検査を行わないときには、前記検査配線に対する、前記各ソース配線ごとに設けられた複数の検査用スイッチング素子、および前記各ゲート配線ごとに設けられた複数の検査用スイッチング素子をオフ状態にするための電位の印加が行われる本発明に関連する第２の発明の液晶表示基板である。
本発明に関連する第５の発明は、本発明に関連する第１〜第４のいずれかの発明の液晶表示装置を用いた情報端末装置である。
本発明に関連する第６の発明は、複数列のソース配線と複数行のゲート配線との交差部に対応して配置された複数の液晶素子と、前記ソース配線に設けられた接続状態を切り替えるためのソース配線用スイッチ手段と、前記ソース配線用スイッチ手段を介して前記ソース配線に接続されるソース配線用検査配線と、前記ゲート配線に設けられた接続状態を切り替えるためのゲート配線用スイッチ手段と、前記ゲート配線用スイッチ手段を介して前記ゲート配線に接続されるゲート配線用検査配線とを備えた液晶表示基板に対する検査を行うための液晶表示基板検査装置であって、
前記ソース配線用スイッチ手段および前記ゲート配線用スイッチ手段の前記接続状態のオン／オフ状態の切替を制御するためのスイッチ制御手段を備えた液晶表示基板検査装置である。
本発明に関連する第７の発明は、前記ソース配線用スイッチ手段は、所定の電位の印加によってオン状態となる、各ソース配線ごとに設けられた複数の検査用スイッチング素子であり、
前記ゲート配線用スイッチ手段は、所定の電位の印加によってオン状態となる、各ゲート配線ごとに設けられた複数の検査用スイッチング素子であり、
前記液晶表示基板は、前記各ソース配線ごとに設けられた複数の検査用スイッチング素子、および前記各ゲート配線ごとに設けられた複数の検査用スイッチング素子に連結された、前記所定の電位の印加を行うための検査配線を備え、
前記スイッチ制御手段は、前記検査を行うときに、前記検査配線に対する前記所定の電位の印加を行うための電位印加回路である本発明に関連する第６の発明の液晶表示基板検査装置である。
本発明に関連する第８の発明は、複数列のソース配線と複数行のゲート配線との交差部に対応して配置された複数の液晶素子と、前記ソース配線に設けられた接続状態を切り替えるためのソース配線用スイッチ手段と、前記ソース配線用スイッチ手段を介して前記ソース配線に接続されるソース配線用検査配線と、前記ゲート配線に設けられた接続状態を切り替えるためのゲート配線用スイッチ手段と、前記ゲート配線用スイッチ手段を介して前記ゲート配線に接続されるゲート配線用検査配線とを備えた液晶表示基板に対する検査を行うための液晶表示基板検査方法であって、
（１）前記ソース配線用スイッチ手段の前記接続状態をオン状態に切り替え、（２）前記ゲート配線用スイッチ手段の前記接続状態をオン状態に切り替え、（３）前記ソース配線に対し前記ソース配線用検査配線から所定のソース配線用検査信号の供給を行い、（４）前記ゲート配線に対し前記ゲート配線用検査配線から所定のゲート配線用検査信号の供給を行う液晶表示基板検査方法である。
本発明に関連する第９の発明は、前記ソース配線用スイッチ手段は、所定の電位の印加によってオン状態となる、各ソース配線ごとに設けられた複数の検査用スイッチング素子であり、
前記ゲート配線用スイッチ手段は、所定の電位の印加によってオン状態となる、各ゲート配線ごとに設けられた複数の検査用スイッチング素子であり、
前記液晶表示基板は、前記各ソース配線ごとに設けられた複数の検査用スイッチング素子、および前記各ゲート配線ごとに設けられた複数の検査用スイッチング素子に連結された、前記所定の電位の印加を行うための検査配線を備え、
前記検査を行うときには、前記検査配線に対する前記所定の電位の印加を行う本発明に関連する第８の発明の液晶表示基板検査方法である。
本発明に関連する第１０の発明は、前記ゲート配線用検査配線は、前記複数行のゲート配線の内、（１）奇数行のゲート配線に接続される第１ゲート配線用検査配線、および（２）偶数行のゲート配線に接続される第２ゲート配線用検査配線であり、
前記供給される所定のゲート配線用検査信号は、（１）前記奇数行のゲート配線に対し前記第１ゲート配線用検査配線から供給される第１ゲート配線用検査信号、および（２）前記偶数行のゲート配線に対し前記第２ゲート配線用検査配線から供給される第２ゲート配線用検査信号であり、
前記複数の画素電極は、前記第１ゲート配線用検査信号または前記第２ゲート配線用検査信号によってオン／オフ状態を切り替えられるスイッチング素子をそれぞれ介して、前記複数列のソース配線の内の所定のソース配線に接続されている本発明に関連する第９の発明の液晶表示基板検査方法である。
本発明に関連する第１１の発明は、前記ゲート配線用検査信号の供給および前記ソース配線用検査信号の供給は、前記液晶表示基板における前記検査配線を含む配線の抵抗および容量を考慮して行われる本発明に関連する第１０の発明の液晶表示基板検査方法である。
本発明に関連する第１２の発明は、本発明に関連する第６の発明の液晶表示基板検査装置の、前記ソース配線用スイッチ手段および前記ゲート配線用スイッチ手段の前記接続状態のオン／オフ状態の切替を制御するためのスイッチ制御手段の全部または一部としてコンピュータを機能させるためのプログラムである。
本発明に関連する第１３発明は、本発明に関連する第８の発明の液晶表示の制御方法の、（１）前記ソース配線用スイッチ手段の前記接続状態をオン状態に切り替え、（２）前記ゲート配線用スイッチ手段の前記接続状態をオン状態に切り替え、（３）前記ソース配線に対し前記ソース配線用検査配線から所定のソース配線用検査信号の供給を行い、（４）前記ゲート配線に対し前記ゲート配線用検査配線から所定のゲート配線用検査信号の供給を行うステップの全部または一部をコンピュータに実行させるためのプログラムである。
【０１０６】
【発明の効果】
以上述べたところから明らかなように、本発明は、たとえば、液晶表示装置の検査完了後に、各検査配線との接続を電気的にオープンにするための切断が不要になるという長所を有する。
【図面の簡単な説明】
【図１】本発明の実施の形態における、画素電極１がストライプ配列に配置された液晶表示装置の平面図
【図２】本発明の実施の形態における白表示を行う場合の検査のための駆動電位を示す波形図
【図３】本発明の実施の形態における黒表示を行う場合の検査のための駆動電位を示す波形図
【図４】本発明の実施の形態における赤表示を行う場合の検査のための駆動電位を示す波形図
【図５】本発明の実施の形態における緑表示を行う場合の検査のための駆動電位を示す波形図
【図６】本発明の実施の形態における青表示を行う場合の検査のための駆動電位を示す波形図
【図７】本発明の実施の形態における黒、白、黒、白、…というフリッカー画面表示を行う場合の検査のための駆動電位を示す波形図
【図８】本発明の実施の形態における白、黒、白、黒、…というフリッカー画面表示を行う場合の検査のための駆動電位を示す波形図
【図９】本発明の実施の形態における検査のための白表示を行う場合の画素ごとの液晶電位を示す波形図
【図１０】本発明の実施の形態における検査のための黒表示を行う場合の画素ごとの液晶電位を示す波形図
【図１１】本発明の実施の形態における検査のための赤表示を行う場合の画素ごとの液晶電位を示す波形図
【図１２】本発明の実施の形態における検査のための緑表示を行う場合の画素ごとの液晶電位を示す波形図
【図１３】本発明の実施の形態における検査のための青表示を行う場合の画素ごとの液晶電位を示す波形図
【図１４】本発明の実施の形態における検査のための黒、白、黒、白、…というフリッカー画面表示を行う場合の画素ごとの液晶電位を示す波形図
【図１５】本発明の実施の形態における検査のための白、黒、白、黒、…というフリッカー画面表示を行う場合の画素ごとの液晶電位を示す波形図
【図１６】本発明の実施の形態における検査装置の構成図
【図１７】画素電極をデルタ配列とした従来の液晶表示装置の平面図
【図１８】Ａ−Ａ’線（図１７参照）に沿う断面図（図１８（ａ））、およびＢ−Ｂ’線（図１７参照）に沿う断面図（図１８（ｂ））
【図１９】画素電極をストライプ配列とした従来の液晶表示装置の平面図
【符号の説明】
１  画素電極
１ｒ  赤画素電極
１ｇ  緑画素電極
１ｂ  青画素電極
２  ゲート配線
３  ソース配線
４  スイッチング素子
５  検査用スイッチング素子
６  ゲート駆動回路
７  ソース駆動回路
８  対向電極駆動回路
９  対向電極
１０  液晶
Ｃ  対向電極側検査配線
Ｇ  ゲート側検査配線
Ｇ０  検査配線
Ｇ１  第１ゲート側検査配線
Ｇ２  第２ゲート側検査配線
Ｓ１、Ｓ２、Ｓ３  ソース側検査配線
Ｔ    切断部
ＶＧ０、Ｖｇ１、Ｖｇ２、Ｖｓ１、Ｖｓ２、Ｖｓ３、Ｖｃ  駆動電位
Ｖ１ｒ、Ｖ１ｇ、Ｖ１ｂ  液晶電位
Ｖｏｎ＋α  検査用スイッチング素子が電気的に導通させるに十分な駆動電位
Ｖｏｎ、Ｖｏｆｆ  スイッチング素子が電気的に開閉させるに十分な駆動電位
Ｖｓｃ    Ｖｓ１、Ｖｓ２、Ｖｓ３における方形波のセンター電位
Ｖｓｃ＋β、Ｖｓｃ−β  Ｖｓ１、Ｖｓ２、Ｖｓ３における方形波のピーク電位
Ｖｃｃ  Ｖｃにおける方形波のセンター電位
Ｖｃｃ＋γ、Ｖｃｃ−γ  Ｖｃにおける方形波のピーク電位
Τａ  スイッチング素子をオンとする期間
Τｂ  動作１の期間
【図１】
0004795548.tif 000002
【図２】
0004795548.tif 000003
【図３】
0004795548.tif 000004
【図４】
0004795548.tif 000005
【図５】
0004795548.tif 000006
【図６】
0004795548.tif 000007
【図７】
0004795548.tif 000008
【図８】
0004795548.tif 000009
【図９】
0004795548.tif 000010
【図１０】
0004795548.tif 000011
【図１１】
0004795548.tif 000012
【図１２】
0004795548.tif 000013
【図１３】
0004795548.tif 000014
【図１４】
0004795548.tif 000015
【図１５】
0004795548.tif 000016
【図１６】
0004795548.tif 000017
【図１７】
0004795548.tif 000018
【図１８】
0004795548.tif 000019
【図１９】
0004795548.tif 000020